(57)【要約】【課題】商品の選択を容易になし得るように、商品の購入が可能であるか否かを容易に識別可能とする押釦装置を提供すること。【解決手段】スイッチ２３１および第１発光素子２３２を実装した回路基板２３と、回路基板２３に進退可能に配設したハウジング２４と、回路基板２３をシールするパッキン２５と、スイッチ２３１を押動操作可能に配設した押釦２７とを備えた押釦装置２０において、パッキン２５が第１発光素子２３２の光が透過するように形成した透孔２５５を有し、押釦２７の周縁部とハウジング２４の周縁部との間をシールした。【選択図】        図３
2005340086.tif 000002
【特許請求の範囲】
【請求項１】
スイッチおよび発光素子を実装した回路基板と、
回路基板に進退可能に配設したハウジングと、
回路基板をシールするパッキンと、
前記スイッチを押動操作可能に配設した押釦と
を備えた押釦装置において、
前記パッキンが発光素子の光が透過するように形成した透孔を有し、前記押釦の周縁部と前記ハウジングの周縁部との間をシールしたことを特徴とする押釦装置。
【請求項２】
前記ハウジングに反射鏡面を形成したことを特徴とする請求項１に記載の押釦装置。
【発明の詳細な説明】
【技術分野】
【０００１】
本発明は、押釦装置に関し、より詳細には、例えば自動販売機等に適用され、商品の選択に用いられる押釦装置に関するものである。
【背景技術】
【０００２】
一般に、自動販売機の外扉には、透明な前面パネルにより画成されたディスプレイ室が設けてあり、ディスプレイ室には、商品見本を陳列するディスプレイ台が上下方向に複数段設けてある。このディスプレイ台には、自動販売機が販売する商品と対応する商品見本が陳列してあり、前面パネルには商品見本と対応して複数の押釦装置が配設してある。
【０００３】
押釦装置は、ベースと、ベースに固定した回路基板と、回路基板の全体を被覆するパッキンと、パッキン上に配設した押釦と、押釦を押動操作可能に被覆するカバーとにより構成してある。基板上にはスイッチおよびは発光素子を実装するとともに、ハウジングが進退可能に配設してある。発光素子は、例えば、発光ダイオード（ＬＥＤ：light-emitting  diode）であり、光源として用いられる。ハウジングには、上述したパッキンを介して上述した押釦が嵌め込んであり、押釦が位置決めされている。押釦は、光透過性を有するレンズ部を主部分として構成されている。このように構成した押釦装置は、ベースとカバーとを溶着接合することにより、一体化されている。
【０００４】
押釦装置は、押釦の押動操作（押下）が有効となった場合には、発光素子を点灯し、発光素子の光がパッキンを透過して押釦を点灯させる一方、押釦が押動操作された場合には、スイッチから信号を出力する一方、発光素子を消灯し、押釦を消灯させる。
【０００５】
したがって、自動販売機においては、購入する商品の価格以上の貨幣を投入した場合に、購入可能な商品に対応する押釦装置の押釦が点灯し、押釦が点灯した押釦装置の押動操作が有効となる。ここで、点灯した押釦装置の押釦を選択して押動操作すると、自動販売機のメインコントローラに商品の選択信号を入力する一方、押釦が消灯する。そして、自動販売機は商品見本に対応した商品を搬出し、商品が販売される（例えば、特許文献１、特許文献２参照）。
【０００６】
【特許文献１】実公平７−１８１１２号公報
【特許文献２】登録実用新案第２５０６５０７号公報
【発明の開示】
【発明が解決しようとする課題】
【０００７】
ところで、上述したパッキンはシリコーンゴムを採用しているために乳白色をしており、発光素子の光は、パッキンを経由することにより、減光されて押釦に到達する。このため、たとえば、太陽光の下では、押釦装置が有効であるか否か、すなわち、商品の購入が可能であるか否かを識別しにくい事態が生じうる。
【０００８】
本発明は、上記実情を鑑みて、商品の選択を容易になし得るように、商品の購入が可能であるか否かを容易に識別可能とする押釦装置を提供することを目的とする。
【課題を解決するための手段】
【０００９】
上記の目的を達成するために、本発明の請求項１に係る押釦装置は、スイッチおよび発光素子を実装した回路基板と、回路基板に進退可能に配設したハウジングと、回路基板をシールするパッキンと、前記スイッチを押動操作可能に配設した押釦とを備えた押釦装置において、前記パッキンが発光素子の光が透過するように形成した透孔を有し、前記押釦の周縁部と前記ハウジングの周縁部との間をシールしたことを特徴とする。
【発明の効果】
【００１０】
本発明に係る押釦装置は、パッキンが発光素子の光が透過するように形成した透孔を有し、押釦の周縁部とハウジングの周縁部との間をシールしたので、防水性、防塵性を維持しつつ、商品の購入が可能であるか否か、すなわち、押釦装置が有効であるか否かを容易に識別できるという効果を奏する。
【発明を実施するための最良の形態】
【００１１】
以下に添付図面を参照して、本発明に係る押釦装置の好適な実施例を詳細に説明する。なお、この実施例によりこの発明が限定されるものではない。
【００１２】
図１は本発明の実施例に係る押釦装置を適用した自動販売機を示す正面図である。自動販売機１は、本体キャビネット２と外扉３とを有している。本体キャビネット２は、前面が開口した直方体形状の断熱筐体として形成してある。本体キャビネット２の開口部分は、断熱性を有する内扉（図示せず）によって開閉可能となっている。
【００１３】
また、図には明示していないが、本体キャビネット２の内部には、断熱性の仕切板により仕切られた複数の商品収容庫が左右に並設してある。これらの商品収容庫には、缶入り飲料、瓶入り飲料、ペットボトル入り飲料などの商品を収納した商品ラックが設けてある。また、各商品収容庫の下方部には、当該商品収容庫を冷却もしくは加熱して商品ラックに収納した商品を冷蔵・温蔵状態とする冷却／加熱ユニットを備えている。
【００１４】
外扉３は、本体キャビネット２の前面に開閉可能に取り付けてある。外扉３は、本体キャビネット２の開口部分を覆うのに十分な大きさを有し、外扉３の上部域には、前面が透明板４で覆われたディスプレイ室５が画成してある。また、ディスプレイ室５の内側となる部位には、ディスプレイ台６が取り付けてある。ディスプレイ台６は、本体キャビネット２の庫内に収納した商品に対応した商品見本７を左右に一列に複数（本実施例では１２個）並べて載置してある。ディスプレイ台６には、庫内に収納した商品の収納状態（冷却または加温）を表示してある。ディスプレイ台６の表示は、外扉３を本体キャビネット２に対して閉じた際に、自動販売機１の前面から商品見本７とともに透明板４を介して透視可能である。なお、図１に示すように本実施例に係るディスプレイ台６は、上下方向に複数段（本実施例では３段）設けてある。また、外扉３の前面には、硬貨投入口８、紙幣投入口９、返却口１０、返却レバー１１、表示部１２および商品取出口１３など周知の構成が設けてある。
【実施例１】
【００１５】
図１に示すようにディスプレイ室５を覆う透明板４には、各ディスプレイ台６の前方となる位置に本発明の実施例１に係る押釦装置２０が設けてある。図２および図３は、本発明の実施例１に係る押釦装置を示したものであり、図２は分解斜視図であり、図３は平面断面図である。これら図２および図３において、本発明の実施例に係る押釦装置２０は、ケーシングを構成するベース２１とカバー２２とを備えている。
【００１６】
押釦装置２０は、カバー２２から押釦２７が表出している。押釦２７は、ディスプレイ台６に載置した各商品見本７に対応してそれぞれ設けてある。本実施例に係る押釦装置２０は、左右の列において押釦２７を６個並設した押釦ユニットを形成してあり、当該押釦ユニットを２個連結して左右列の商品見本７にそれぞれ押釦２７を対応して配置してある。なお、押釦ユニットは、押釦２７を６個並設する構成に限らず、例えば押釦２７を４個並設して形成してもよい。なお、図２では便宜上、左右に並設した２個の押釦２７に係る構成を図示してあり、図３では便宜上１個の押釦２７に係る構成を図示してある。
【００１７】
ベース２１は、押釦装置２０の後方側ケーシングを構成するものである。ベース２１は、矩形状の板状体であり、その前面に収納凹部２１１が設けてある。また、ベース２１は、その外周に沿って無端状の溝状部２１２を設けてある。このベース２１は、後面側をネジ等の締結部材（図示せず）で締結して、ディスプレイ室５を覆う透明板４に対して固定される。
【００１８】
カバー２２は、押釦装置２０の前方側ケーシングを構成するものである。カバー２２は、前方に向けて円弧状に膨出して形成した前板部２２１と、左右の側板部２２２とを有してベース２１との間に収納空間Ｓを形成している。この収納空間Ｓには、回路基板２３、パッキン２５、フィルム２６および押釦２７が収納してある。また、カバー２２の前板部２２１には、押釦孔２２３が形成してある。このカバー２２は、ベース２１に溶着接合されて、上述したようにベース２１とともにケーシングを構成している。
【００１９】
回路基板２３は、ベース２１の収納凹部２１１に嵌合する矩形状の板状体である。回路基板２３の前面には、スイッチ２３１と、第１発光素子２３２と、第２発光素子２３３と、集積回路２３４とを実装するとともに、ハウジング２４が進退可能に配設してある。スイッチ２３１は、作動時に操作感（クリック感）を生じるようにタクトスイッチにより構成してある。例えば、このスイッチ２３１は、１つの押釦２７に対応して２つ設けてある。
【００２０】
第１発光素子２３２は、該押釦装置２０の光源を成しており、例えば、色の異なる２つのチップ型発光ダイオード（ＬＥＤ；light-emitting  diode）で構成してある。本実施例では、上下方向に並設した青色（寒色）および橙色（暖色）の２色の発光ダイオードを有している。
【００２１】
第２発光素子２３３は、例えば、色の異なる２つのチップ型発光ダイオードで構成してある。本実施例では、上下方向に並設した赤色および橙色の２色の発光ダイオードを有している。
【００２２】
集積回路２３４は、スイッチ２３１、第１発光素子２３２および第２発光素子２３３のそれぞれと接続してあるとともに、自動販売機１のメインコントローラ（図示せず）と接続してある。集積回路２３４は、メインコントローラからの指令に基づいて第１発光素子２３２および第２発光素子２３３の各発光ダイオードを点灯させる一方、スイッチ２３１の入力信号をメインコントローラに送出するものである。
【００２３】
ハウジング２４は、楕円形状を有しており、第１発光素子２３２および第２発光素子２３３の光射出側（前方側）に配設してある。このハウジング２４は、第１反射部（反射鏡面）２４１と第２反射部２４２とを有している。
【００２４】
第１反射部２４１は、前方に開口する凹状の形態をなしている。この第１反射部２４１は、第１発光素子２３２の２個の発光ダイオードからの射出光を反射するものであり、第１発光素子２３２からの射出光を通過させる通過孔２４１ａを中央に有し、該通過孔２４１ａから前方に向かって楕円形状に漸次拡がる光散乱反射面２４１ｂを有している。光散乱反射面２４１ｂは、後述する押釦２７のレンズ部２７１ａと略同じ大きさを有している。この光散乱反射面２４１ｂには、一例として、図４に示したように通過孔２４１ａを中心にして放射状に拡がる複数の溝部２４１ｃが形成してある。また、光散乱反射面２４１ｂには、高反射率材料であるアルミニウムが蒸着してある。
【００２５】
上記第１反射部２４１には、通過孔２４１ａの前方側に円柱状の導光部材２４３が設けてある。導光部材２４３は、光透過材から形成したものであり、端部を前後方向に平行となる態様で配置してある。導光部材２４３の前端部分には、第１発光素子２３２側（後方側）に頂部を向けて配設した円錐体形状の第１光発散部２４３ａが設けてある。導光部材２４３の後端部分には、第１発光素子２３２側（後方側）に凹曲形状の第２光発散部２４３ｂが設けてある。
【００２６】
第２反射部２４２は、前方に開口する凹状の形態を成しており、第１反射部２４１の側方に設けてある。第２反射部２４２は、第２発光素子２３３の各発光ダイオードからの射出光を反射するためのものであり、各発光ダイオードに対応して１つずつ、すなわち２個設けてある。これら第２反射部２４２は、それぞれ第２発光素子２３３の発光ダイオードからの射出光を通過させる通過孔２４２ａを中央に有し、該通過孔２４２ａから前方に向かって矩形状に漸次拡がる光反射面２４２ｂを有している。
【００２７】
パッキン２５は、例えばシリコーンゴム等の弾性部材からなり、矩形状に形成してある。パッキン２５の外周には、ベース２１の溝状部２１２に挿入し得る無端状の挿入部２５１が設けてある。パッキン２５の前面には、上記ハウジング２４を嵌挿する楕円形状の収納部２５２が突設してあるとともに、該収納部２５２の周囲には、可撓性および弾性を有する作動部２５３が設けてある。パッキン２５の後面には、回路基板２３の各スイッチ２３１に対峙する位置に操作突起２５４が設けてある。また、収納部２５２は、発光素子の光が透過するように形成した透孔２５５を有している。透孔２５５は、パッキン２５がハウジング２４に対して噛み込み代（鍔部２５６）を有するようにハウジング２４の外形よりもやや小さく形成してある。このパッキン２５は、上記カバー２２をベース２１に密着して固定した場合に、挿入部２５１が溝状部２１２に圧入され、鍔部２５６がハウジング２４の周縁部と押釦２７の周縁部との間をシールすることによって回路基板２３をベース２１との間で水密にして収納する。
【００２８】
フィルム２６は、光透過材からなる板状体であり、パッキン２５の収納部２５２の前面を覆う態様で楕円形状をなしている。このフィルム２６は、図５に示したように、ハウジング２４の第２反射部２４２の前方側に臨む部位２６ａに、光透過性を高くした抜き文字が施してある。この文字は、一方（上方側）の第２反射部２４２に対応する「売切」と、他方（下方側）の第２反射部２４２に対応する「準備中」である。
【００２９】
押釦２７は、光透過材からなり、図６にも示したように、操作部２７１と鍔部２７２とを備えて構成してある。操作部２７１は、楕円形状を有しており、前方に突出する態様で配設してある。この操作部２７１は、フィルム２６やパッキン２５の収納部２５２を嵌挿するとともに、カバー２２の押釦孔２２３を貫通して前板部２２１の前方に表出してある。また、操作部２７１は、上記ハウジング２４の第１反射部２４１に対峙する部位に楕円形状のレンズ部２７１ａが形成してある。より詳細に説明すると、中心部分が第１発光素子２３２に対応する態様でレンズ部２７１ａが形成してある。このレンズ部２７１ａは、第１発光素子２３２からの光を透過させる光透過域になり、その大きさは、上述したようにハウジング２４の光散乱反射面２４１ｂと略同一である。
【００３０】
鍔部２７２は、操作部２７１の外周部分に設けてあり、押釦２７が押釦孔２２３から抜け落ちる事態を防ぐ役割を果たすものである。この鍔部２７２の後方側は、パッキン２５の操作突起２５４を介して回路基板２３の各スイッチ２３１に対峙する。この押釦２７は、パッキン２５の作動部２５３の撓みおよび弾性によって、前方から押圧された場合に後方に向かって押動操作可能に設けてある。
【００３１】
次に、上述した押釦装置の作用を自動販売機の販売動作を含めて説明する。図１に示す自動販売機１は、硬貨投入口８から硬貨が投入されると識別可能な硬貨であるか識別不能な硬貨であるかを識別し、識別可能な硬貨であった場合にさらに金種の識別を行う。また、自動販売機１は、紙幣投入口９から紙幣が投入されると識別可能な紙幣であるか識別不能な紙幣であるかを識別し、識別可能な紙幣であった場合にさらに金種の識別を行う。そして、投入された硬貨の価値情報および紙幣の価値情報を加算して合計価値情報（合計金額）を表示部１２に表示する。
【００３２】
押釦装置２０は、自動販売機に投入された貨幣の合計価値情報（合計金額）が購入しようとする商品の価格を超えた場合に、押釦２７の押動操作を有効化する。すなわち、商品販売が可能である商品の商品見本７に対応する押釦２７について該押釦２７が対峙しているスイッチ２３１からの入力を有効化する。同時に、押釦装置２０は、商品販売が可能である商品の商品見本７に対応する押釦２７について該押釦２７に対応する第１発光素子２３２を発光させる。このとき、第１発光素子２３２では、例えば押釦２７に対応する商品が冷却収納状態である場合には青色（寒色）の発光ダイオードを発光させる一方、押釦２７に対応する商品が加温収納状態である場合には橙色（暖色）の発光ダイオードを発光させる。
【００３３】
第１発光素子２３２の発光ダイオードで発光した光は、直進性を有し、ハウジング２４の第１反射部２４１に至る。第１反射部２４１に入射した光は、通過孔２４１ａを通過した後、導光部材２４３の第２光発散部２４３ｂによって発散しながら該導光部材２４３の内部を通過し、第１光発散部２４３ａによってさらに発散して、該第１反射部２４１の光散乱反射面２４１ｂに至る。そして、光散乱反射面２４１ｂに至った光は、前方に向けて反射することになる。より詳細に説明すると、光散乱反射面２４１ｂは、押釦２７のレンズ部２７１ａと略同じ大きさを有するものであるから、該レンズ部２７１ａ全体にわたって光を反射することになる。また、光散乱反射面２４１ｂに形成された複数の溝部２４１ｃの作用により、反射した光は乱反射して散乱することになる。特に、複数の溝部２４１ｃは、通過孔２４１ａを中心にして放射状に拡がる態様で形成してあるので、光が放射状に散乱した態様で反射することになる。そして、光散乱反射面２４１ｂから散乱しながら反射した光は、パッキン２５の透孔２５５を通過した後にフィルム２６を透過して押釦２７のレンズ部２７１ａの全体に至る結果、該押釦２７が前方に向かって明示されることになる。
【００３４】
このようにハウジング２４からの散乱した反射光で明示された押釦２７が前方から押圧されて押動操作（押下）することにより、スイッチ２３１が作動して入力信号をメインコントローラに送出する。そして、自動販売機１では、かかる入力信号により押動操作した押釦２７に対応する商品見本７の商品を商品取出口１３に搬出して払い出すことになる。同時に、押釦装置２０では、スイッチ２３１の入力信号によって第１発光素子２３２の発光ダイオードを消灯する。
【００３５】
ところで、自動販売機１において収納した商品の在庫が無くなった場合には、押釦装置２０は、在庫が無くなった商品の商品見本７に対応する押釦２７について該押釦２７に対応する第２発光素子２３３を発光させる。より詳細には、第２発光素子２３３では、例えば赤色の発光ダイオードを発光させる。これにより、図７に示したように、フィルム２６に施された「売切」の文字が押釦２７に赤色で明示されることになる。
【００３６】
一方、自動販売機１において在庫の無くなった商品を補充した場合には、押釦装置２０は、補充した商品の商品見本７に対応する押釦２７について該押釦２７に対応する第２発光素子２３３を発光させる。より詳細には、第２発光素子２３３では、例えば橙色の発光ダイオードを発光させる。これにより、図８に示したように、フィルム２６に施された「準備中」の文字が押釦２７に橙色で明示されることになる。尚、「準備中」とは、自動販売機１に収納した商品が冷却もしくは加温している最中のことをいう。
【００３７】
また、「売切」または「準備中」の文字を明示しているとき、押釦装置２０は、自動販売機１において投入された金銭の額が商品販売に必要となる金額であっても、文字を明示している押釦２７の押動操作を無効化させる。すなわち、商品販売が不可能な商品の商品見本７に対応する押釦２７であるため、当該押釦２７が対峙しているスイッチ２３１からの信号を無効化させる。同時に、押釦装置２０は、商品販売が可能でない商品の商品見本７に対応する押釦２７について該押釦２７の第１発光素子２３２の発光を停止する。
【００３８】
上述した実施例１に係る押釦装置２０によれば、パッキン２５が第１発光素子２３２の光が透過するように形成した透孔２５５を有し、押釦２７の操作部２７１の周縁部とハウジング２４の周縁部との間をパッキン２５の鍔部２５６がシールしたので、パッキン２５によって減光されることなく、防水性、防塵性を維持しつつ、商品の購入が可能であるか否か、すなわち、押釦装置２０が有効であるか否かを容易に識別できる。
【実施例２】
【００３９】
図９および図１０は本発明の実施例２に係る押釦装置を示したものであり、図９は分解斜視図であり、図１０は平面断面図である。尚、上述の実施例１に係る押釦装置２０と同一の構成を有するものには、同一の符号を付してその説明を省略する。本発明の実施例２に係る押釦装置３０は、ケーシングを構成するベース２１とカバー２２との間における収納空間Ｓに、回路基板２３、パッキン３５、反射部材３６、押釦３７および内カバー３８が収納してある。
【００４０】
回路基板２３に進退可能に配設したハウジング３４は、楕円形状を有しており、第１発光素子２３２の光射出側（前方側）に配設してある。このハウジング３４は、反射部（反射鏡面）３４１を有している。
【００４１】
反射部３４１は、前方に開口する凹状の形態をなしている。この反射部３４１は、第１発光素子２３２の２個の発光ダイオードからの射出光を反射するものであり、第１発光素子２３２からの射出光を通過させる通過孔３４１ａを中央に有し、該通過孔３４１ａから前方に向かって楕円形状に漸次拡がる光散乱反射面３４１ｂを有している。光散乱反射面３４１ｂは、後述する押釦３７のレンズ部３７１ａと略同じ大きさを有している。この光散乱反射面３４１ｂには、図には明示しないが、一例として通過孔３４１ａを中心にして放射状に拡がる態様の複数の溝部が形成してある（図４参照）。また、光散乱反射面３４１ｂには、高反射率材料であるアルミニウムが蒸着してある。
【００４２】
上記反射部３４１には、通過孔３４１ａの前方側に円柱状の導光部材３４３が設けてある。導光部材３４３は、光透過材から形成したものであり、端部を前後方向に平行となる態様で配置してある。導光部材３４３の前端部分には、第１発光素子２３２側（後方側）に頂部を向けて配設した円錐体形状の第１光発散部３４３ａが設けてある。導光部材３４３の後端部分には、第１発光素子２３２側（後方側）に凹曲形状の第２光発散部３４３ｂが設けてある。
【００４３】
反射部材３６は、前方に開口する凹状の形態の反射窓部３６１を有しており、該反射窓部３６１が第２発光素子２３３からの光の通過域に位置する態様でパッキン３５の前面側に設けてある。反射窓部３６１は、第２発光素子２３３の各発光ダイオードからの射出光を反射するためのものであり、各発光ダイオードに対応して１つずつ、すなわち２個設けてある。これら反射窓部３６１は、それぞれ第２発光素子２３３の発光ダイオードからの射出光を通過させる通過孔３６１ａを中央に有し、該通過孔３６１ａから前方に向かって矩形状に漸次拡がる光反射面３６１ｂを有している。
【００４４】
パッキン３５は、例えばシリコーンゴム等の弾性部材からなり、矩形状に形成してある。パッキン３５の外周には、ベース２１の溝状部２１２に挿入し得る無端状の挿入部３５１が設けてある。パッキン３５の前面には、上記ハウジング２４を嵌挿する楕円形状の収納部３５２が突設してあるとともに、該収納部３５２の周囲には、可撓性および弾性を有する作動部３５３が設けてある。パッキン３５の後面には、回路基板２３の各スイッチ２３１に対峙する位置に操作突起３５４が設けてある。また、収納部３５２には、発光素子の光が透過するように形成した透孔３５５を有している。透孔３５５は、パッキン３５がハウジング３４に対して噛み込み代（鍔部３５６）を有するようにハウジング３４の外形よりもやや小さく形成してある。このパッキン３５は、上記カバー２２をベース２１に密着して固定した場合に、挿入部３５１が溝状部２１２に圧入され、鍔部３５６がハウジング３４の周縁部と押釦３７の周縁部との間をシールすることによって回路基板２３をベース２１との間で水密にして収納する。
【００４５】
押釦３７は、光透過材からなり、操作部３７１と鍔部３７２とを備えて構成してある。操作部３７１は、楕円形状を有しており、前方に突出する態様で配設してある。この操作部３７１は、パッキン３５の収納部３５２を嵌挿するとともに、内カバー３８の貫通孔３８２およびカバー２２の押釦孔２２３を貫通して前板部２２１の前方に表出してある。また、操作部３７１は、上記ハウジング３４に対峙する部位に楕円形状のレンズ部３７１ａが形成してある。より詳細に説明すると、中心部分が第１発光素子２３２に対応する態様でレンズ部３７１ａが形成してある。このレンズ部３７１ａは、第１発光素子２３２からの光を透過させる光透過域になり、その大きさは、上述したようにハウジング３４の光散乱反射面３４１ｂと略同じである。
【００４６】
鍔部３７２は、操作部３７１の外周部分に設けてあり、押釦３７が内カバー３８の貫通孔３８２から抜け落ちる事態を防ぐ役割を果たすものである。この鍔部３７２の後方側は、パッキン３５の操作突起３５４を介して回路基板２３の各スイッチ２３１に対峙する。この押釦３７は、パッキン３５の作動部３５３の撓みおよび弾性によって、前方から押圧された場合に後方に向かって押動操作可能に設けてある。
【００４７】
内カバー３８は、光透過材からなる板状体であり、楕円形状の表出部３８１を備えている。表出部３８１は、カバー２２の押釦孔２２３から表出する部分であり、貫通孔３８２と表示部３８３とを有している。貫通孔３８２は、上記押釦３７における操作部３７１が貫通することができる大きさであり、該操作部３７１より僅かに大きい楕円形状を有している。表示部３８３は、反射部材３６の反射窓部３６１の前方側に臨む部位に、光透過性を高くした抜き文字が施してある。この文字は、一方（上方側）の反射窓部３６１に対応する「売切」と、他方（下方側）の反射窓部３６１に対応する「準備中」である。
【００４８】
つまり、本発明の実施例２に係る押釦装置３０は、上記実施例１に係る押釦装置２０の押釦２７が第２発光素子２３３からの光も透過する構成、より具体的には「売切」もしくは「準備中」の文字も表示するのに対し、押釦３７は第１発光素子２３２からの光のみを透過する構成、より具体的には、「売切」もしくは「準備中」の表示を別個にしたものである。
【００４９】
上記構成を有する本発明の実施例２に係る押釦装置３０においては、第１発光素子２３２の発光ダイオードで発光した光は、直進性を有し、ハウジング３４の反射部３４１に至る。反射部３４１に入射した光は、通過孔３４１ａを通過した後、導光部材３４３の第２光発散部３４３ｂによって発散しながら該導光部材３４３の内部を通過し、第１光発散部３４３ａによってさらに発散して、該反射部３４１の光散乱反射面３４１ｂに至る。そして、光散乱反射面３４１ｂに至った光は、前方に向けて反射することになる。より詳細に説明すると、光散乱反射面３４１ｂは、押釦３７のレンズ部３７１ａと略同じ大きさを有するものであるから、該レンズ部３７１ａ全体にわたって光を反射することになる。また、光散乱反射面３４１ｂに形成された複数の溝部の作用により、反射した光は乱反射して散乱することになる。特に、複数の溝部は、通過孔３４１ａを中心にして放射状に拡がる態様で形成してあるので、光が放射状に散乱した態様で反射することになる。そして、光散乱反射面３４１ｂから散乱しながら反射した光は、パッキン３５の透孔３５５を通過した後に押釦３７のレンズ部３７１ａの全体に至る結果、該押釦３７が前方に向かって明示されることになる。
【００５０】
上述した実施例２に係る押釦装置３０によれば、パッキン３５が第１発光素子２３２の光が透過するように形成した透孔３５５を有し、押釦３７の操作部３７１の周縁部とハウジング３４の周縁部との間をパッキン３５の鍔部３５６がシールしたので、パッキン３５によって減光されることなく、防水性、防塵性を維持しつつ、商品の購入が可能であるか否か、すなわち、押釦装置３０が有効であるか否かを容易に識別できる。
【産業上の利用可能性】
【００５１】
以上のように、本発明に係る押釦装置は、自動販売機に適用する押釦装置に有用であり、特に、購入可能な商品を明示する押釦装置に適している。
【図面の簡単な説明】
【００５２】
【図１】本発明の実施例に係る押釦装置を適用した自動販売機を示す正面図である。
【図２】本発明の実施例１に係る押釦装置の分解斜視図である。
【図３】図２に示した押釦装置の平面断面図である。
【図４】図２に示した押釦装置を構成するハウジングを拡大して示した斜視図である。
【図５】図２に示した押釦装置を構成するフィルムの正面図である。
【図６】図２に示した押釦装置を構成する押釦部の正面図である。
【図７】図２に示した押釦装置を構成する第２発光素子を発光させた場合を示した正面図である。
【図８】図２に示した押釦装置を構成する第２発光素子を発光させた場合を示した正面図である。
【図９】本発明の実施例２に係る押釦装置の分解斜視図である。
【図１０】図９に示した押釦装置の平面断面図である。
【符号の説明】
【００５３】
２０    押釦装置
２１    ベース
２１２    溝状部
２２      カバー
２２３    押釦孔
２３    基板
２４      ハウジング
２４１    第１反射部
２４２    第２反射部
２５    パッキン
２５１    挿入部
２５２    収納部
２５３    作動部
２５４    操作突起
２５５    透孔
２５６    鍔部
２６    フィルム
２７    押釦
２７１    操作部
２７１ａ    レンズ部
２７２    鍔部
３０    押釦装置
３４    ハウジング
３４１    反射部
３４３    導光部材
３５    パッキン
３５１    挿入部
３５２    収納部
３５３    作動部
３５４    操作突起
３５５    透孔
３５６    鍔部
３６    反射部材
３７    押釦
３７１    操作部
３７１ａ    レンズ部
３７２    鍔部
３８    内カバー
【図１】
2005340086.tif 000003
【図２】
2005340086.tif 000004
【図３】
2005340086.tif 000005
【図４】
2005340086.tif 000006
【図５】
2005340086.tif 000007
【図６】
2005340086.tif 000008
【図７】
2005340086.tif 000009
【図８】
2005340086.tif 000010
【図９】
2005340086.tif 000011
【図１０】
2005340086.tif 000012